(57)【要約】      （修正有）【課題】プレゼンテーション、講演、選挙演説などの場において、人間が注意を向ける音声要素と心地良く耳を傾けたくなる音声要素に着目し、注目と傾聴の双方の効果を高めることができる音声加工装置を提供する。【解決手段】音声入力信号に応じた共感音声を生成する共感音生成回路３１０と、音声入力信号に応じた異質感覚音声を生成する異質感覚音生成回路３２０とを具備すると共に、上記共感音生成回路３１０と、上記異質感覚音生成回路３２０のそれぞれの出力割合を変化させる付加比率制御部５００を備える。【選択図】図１
2012083417.tif 000002
【特許請求の範囲】
【請求項１】
マイクロフォン、アンプ、スピーカー、もしくはそれらの中間に設けられる音声信号加工装置であって、音声入力信号に応じた共感音を生成する共感音生成回路と、音声入力信号に応じた異質感覚音を生成する異質感覚音生成回路とを具備すると共に、上記異質感覚音生成回路と、上記偶数倍音生成回路のそれぞれの出力割合を変化させる付加比率制御部を具備することを特徴とする音声加工装置。
【請求項２】
前記共感音生成回路は、音声入力信号に応じ、その音声入力信号から偶数倍音を生成する偶数倍音生成回路で構成されている特許請求の範囲第１項記載による音声加工装置。
【請求項３】
前記共感音生成回路は、音声入力信号に応じた1/ｆゆらぎを生成する1/ｆゆらぎ生成回路で構成されている特許請求の範囲第１項記載による音声加工装置。
【請求項４】
前記異質感覚音生成回路は、音声入力信号に応じ、その音声入力信号から奇数倍音を生成する奇数倍音生成回路で構成されている特許請求の範囲第１項記載による音声加工装置。
【請求項５】
前記異質感覚音生成回路は、音声入力信号に応じたノイズ音を生成するノイズ生成回路で構成されている特許請求の範囲第１項記載による音声加工装置。
【請求項６】
前記出力割合を変化させる付加比率制御部は、その付加比率割合を外部から操作を可能とする圧力センサー等の外部操作入力部を有している特許請求の範囲第１項記載による音声加工装置。
【請求項７】
前記出力割合を変化させる付加比率制御部は、音声入力信号の起点タイミングをトリガーとするタイマー回路を有し、時間経過に対応した付加比率を算出する構成を具備する特許請求の範囲第１項記載による音声加工装置。
【発明の詳細な説明】
【技術分野】
【０００１】
本発明は、  入力した音声を、電気的に加工する装置に関し、特に、  マイクロフォン等の入力装置からスピーカー等の出力装置の間に設けられる音声加工装置に関するものである。
【背景技術】
【０００２】
従来、この種の装置は、主にカラオケ装置に搭載され、周波数特性を調整するイコライザや、残響によって音質を改善するエコー機能などで音声の加工を行なっていた。
【０００３】
従来のこの種の装置の一つとして、音声を加工する装置（例えば、特許文献１）が提案されており、また、話者の意思の伝達を補うことのできる技術（特許文献２）が開示されている。
【先行技術文献】
【特許文献】
【０００４】
【特許文献１】特開平１０−０６９２８１
【特許文献２】特願２００６−２１８４２０
【発明の概要】
【発明が解決しようとする課題】
【０００５】
しかしながら、上記従来のような加工装置では、プレゼンテーション、講演、選挙演説などの場において、こうしたカラオケ装置のような加工を行なっても、聞きとり難くなるだけで、人が耳を傾けてくれる効果は期待できなかった。
一方、人の声は、その人の個性を表現する上で、大事な要素となっており、プレゼンテーション、セミナー、選挙演説などでは、話し方も然ることながら、声の質が、極めて重要な要素となる。
例えば選挙の場合には、声の印象が良いと、聴衆を惹きつけ、その効果は投票結果をも左右するとさえ言われている。
【０００６】
しかしながら、声の質は、鼻腔、体格など生まれ持った要素が大きく影響し、簡単に変えられるものではない。
【０００７】
そこで、本発明は、人間が注意を向ける音声要素と心地良く耳を傾けたくなる音声要素に着目し、その各要素を場面に応じて、各要素の比率を変化させ、注目と傾聴の双方の効果を高める音声加工装置を提供することを目的とするものである。
【課題を解決するための手段】
【０００８】
上述した目的を達成するために、本発明に係る音声加工装置は、図１の実施の形態にも示すように、音声入力信号に応じた共感音声を生成する共感音生成回路３１０と、音声入力信号に応じた異質感覚音声を生成する異質感覚音生成回路３２０とを具備すると共に、上記共感音生成回路３１０と、上記異質感覚音生成回路３２０のそれぞれの出力割合を変化させる付加比率制御部５００を備える。
【０００９】
請求項２の発明では、前記共感音生成回路３１０が偶数倍音生成回路３１１で構成されていることを特徴としている。
【００１０】
請求項３の発明では、前記共感音生成回路３１０が１／ｆゆらぎ生成回路３１２で構成されていることを特徴としている。
【００１１】
請求項４の発明では、前記異質感覚音生成回路３２０が奇数倍音生成回路３２１で構成されていることを特徴としている。
【００１２】
請求項５の発明では、前記異質感覚音生成回路３２０がノイズ音生成回路３２２で構成されていることを特徴としている。
【００１３】
請求項６の発明では、前記出力割合を変化させる付加比率制御部５００は、その可変割合を外部から操作を可能とする圧力センサー等の外部操作入力部６００を有していることを特徴としている。
【００１４】
請求項７の発明では、前記出力割合を変化させる付加比率制御部５００は、音声入力信号の起点タイミングをトリガーとするタイマー回路を有し、時間経過に対応した可変割合を算出する構成を具備することを特徴とする。上記タイマー回路は、CPUのクロックを利用しても良い。
【発明の効果】
【００１５】
上述したように本発明に係る音声加工装置によれば、聴衆に心地良さを感じさせる共感音と、聴衆に生理的な異質感を感じさせる異質感覚音とを、状況に応じてその比率を可変させることが出来ることから、プレゼンテーションや選挙等の演説において、聴衆に対して注目度を上げることができると共に、共感を誘う心地良く傾聴したくなる音声で、印象の良いイメージを伝えることができる効果、すなわち了解度と明瞭度、更には好感度が向上する効果があり、且つ、聴衆の状況に応じてその注目度と共感度の割合を自在に制御することができる効果がある。
【００１６】
請求項２の発明では、前記共感音生成回路３１０が偶数倍音生成回路３１１で構成されていることから、本人の音声そのものに偶数倍音の心地よく、かつ明瞭度を向上させた音声要素が加えられ、高い好感度を得ることができる効果がある。
【００１７】
請求項３の発明では、前記共感音生成回路３１０が1/ｆゆらぎ生成回路３１２で構成されていることから、本人の音声そのものに自然な１／ｆゆらぎ音声要素が加えられ、安心感のある好印象を得ることができる効果がある。
【００１８】
請求項４の発明では、前記異質感覚音生成回路３２０が奇数倍音生成回路３２１で構成されていることから、本人の音声そのものに奇数倍音の異質感覚の要素が加えられるため、注目度を向上させることが出来ると共に、共感音生成回路３１０による共感音出力から奇数倍音生成回路３１２による異質感覚音出力への切り替えに対し、聴衆に違和感を意識させることなく、移行をさせることが出来る効果がある。
【００１９】
請求項５の発明では、前記異質感覚音声生成回路３２０がノイズ音生成回路３１２で構成されていることから、生理的な異質感をより認識させ易いとともに、聞きなれたノイズ音であることから注意を引きながらも嫌悪感を少なくさせることができる効果がある。
【００２０】
請求項６の発明では、偶数倍音と異質感覚音の付加比率を外部の圧力センサーからの信号に基づいて可変させるため、例えばマイクロフォンの握持部にその圧力センサーを設ければ、使用者の気持ちの変化による握りの強弱に連動して、可変比率が変化することになり、自然な形で使用者の気持ちと音質を連動させることができる効果がある。
【００２１】
請求項７の発明では、偶数倍音と異質感覚音の付加比率をタイマーで可変させるため、集中力の持続時間が１５分程度と言われている学校の授業などに用いれば、集中力が切れる１５分間隔で異質感覚音の比率を上げて集中力を回復させることができる効果がある。
【発明を実施するための最良の形態】
【００２２】
図１は本発明の係る音声加工装置の第１実施形態を示す回路ブロック図であり、本発明は、図１に示すように、大きく分けて信号処理部Ａと設定処理部Ｂとで大略構成され、上記信号処理部Ａは、プリアンプ１００、帯域処理部２００、音声加工部３００、バッファーアンプ４００を有し、前記設定処理部Ｂは、付加比率制御部５００と初期値設定テーブルと操作入力部６００を有している。
【００２３】
前記プリアンプ１００は、図２に示すように、後述するマイク８００などからの出力の数ｍＶを１Ｖ前後に増幅する回路で、このプリアンプ１００の入力インピーダンスは約５０ＫUに設定され、必要に応じてＡＧＣ（オートマティク・ゲイン・コントロール）が設けられ、この実施例ではオーディオ用ＯＰ−ＡＭＰ（５〜１００ＫＨｚ）が用いられている。
【００２４】
上記プリアンプ１００の下流側に設けられる前記帯域処理部２００は、全体の音声帯域を決めるＢＰＦ（バンドパスフィルタ）２１０と、個々の音声帯域の増減により音声の特長をより強調させるＧＥＱ（グラフィックイコライザ）２２０で構成されている。
【００２５】
上記ＢＰＦ２１０は、一般の公衆回線で用いられている音声の基本帯域と同程度の帯域３００Ｈｚ〜３４００Ｈｚの範囲に設定され、人間の通常の音声範囲外のノイズを除去するとともに、主に使用される場の音響空間における残響・定在波等の補正に用いられており、図３に示すように比率ＣＴＬ回路５１０内のローパスフィルタＬＦとハイパスフィルタＨＦで制御され、図４に示すように設定された範囲外を１２ｄＢ減衰するように設定されている。
【００２６】
前記ＢＰＦ２１０の後段に設けられる前記ＧＥＱ２２０は、上記ＢＰＦ２１０からの周波数帯域内を５段階〜８段階に分解して各帯域毎の強弱を制御しており、この実施例では図５に示すように周波数帯域のｆ０〜ｆ５の５段階に分解された例を示し、前記比率ＣＴＬ回路５１０で操作される可変抵抗器Ｒ１〜Ｒ５により、図６に示すようにプラス１２ｄＢ〜マイナス１２ｄＢの範囲で増減操作される構成とされ、このＧＥＱ２２０におけるデフォルト設定値は、初期値設定テーブル７００に収納されている。
【００２７】
更に、前記ＧＥＱ２２０は、使用する個人個人に対し固有の設定が必要になるため、これらの設定は、いくつかのパターンがデフォルト値として設けられており、後述するマイクロフォン本体８００の操作スイッチ８３１，８３２で選択が可能な構成とされ、デフォルト値の微調整も同様に操作スイッチ８３１，８３２で行える構成とされている。また、本装置を屋内で使用する場合には、本装置を含む部屋の残響音を周波数毎に、計測し上記デフォルト値に加味し、たとえば残響の長い周波数帯はカットする等の加工を行なう。
【００２８】
前記音声加工部３００は、共感音生成回路３１０としての偶数倍音生成回路３１１と異質感覚音生成回路３２０としての奇数倍音発生回路３２１とを有し、この実施例では、図７に示すように、ダイオードＤ１，Ｄ２を用いて構成され、  これらダイオードＤ１、Ｄ２の非線形領域を用いて歪ませることにより倍音を発生させており、奇数倍音発生回路３２１としては、片方のダイオードＤ１を用い奇数歪を発生させ、偶数倍音発生回路３１０としては、両方のダイオードＤ１，Ｄ２を用い偶数歪を発生させている。
【００２９】
詳述すると図８に示すように、比率ＣＴＬ回路５１０による電圧値Ｅ１、Ｅ２の可変操作により、上記ダイオードＤ１，Ｄ２における電流値・電圧値の関係は、音声信号Ｓに対してその非線形領域により歪出力を得ることができ、この歪出力を倍音として利用し、ここで作られる偶数／奇数の倍音発生は任意に選択可能で、その設定は後述する初期値設テーブル７００の値をもとに付加比率制御部５００が設定値を制御する構成とされている。
【００３０】
前記音声加工部３００の後段に設けられるバッファーアンプ４００は、図９に示すように前記音声加工部３００と前記外部入力制御回路５２０からの信号を受けるオーディオ用オペアンプ（ＯＰ−ＡＭＰ）が用いられ、前段の音声加工部３００で失った利得を回復する機能を有し、主に低い出力抵抗（コードを長く引き回すための）で送り出すためのインピーダンス変換器の役割を果たしている。
【００３１】
一方、前記設定処理部Ｂは、付加比率制御部５００と、外部操作入力部６００と、初期値設定テーブル７００を有しており、上記付加比率制御部５００は、各回路の設定値を制御する回路であり外部入力制御回路５２０と、比率ＣＴＬ回路５１０とで構成されている。
【００３２】
外部操作入力部６００は初期値（デフォルト）に対し、後述する感圧素子８２１や初期設定微調整スイッチ８３１、切り替えスイッチ８３２からの情報を読みとり、比率ＣＴＬ回路５１０  や外部入力制御回路５２０を通じ、各回路の設定を行う外部スイッチ等のインターフェイスとしての機能を有している。
【００３３】
前記比率ＣＴＬ回路５１０は、ワンチップＣＰＵを有し、外部の入力情報を読み取り加工し、帯域
処理部２００および音声加工部３００の処理手順を設定する機能を有している。
【００３４】
また、前記初期値設定テーブル７００は、デフォルト値のデータが入っているフラッシュメモ
リーが用いられており、使用者の個人差、使用環境、要望等に合わせて事前に用意されたデータが格納されている。
【００３５】
図１３は、本実施例に最適なマイクロフォン８００の外観斜視図であり、一般のマイクロフォンと同様に集音部８１０と握持部８２０とで構成され、この握持部８２０の上部位置には操作部８３０を有しており、この操作部８３０には初期設定微調整スイッチ８３１と切り替えスイッチ８３２が設けられ、必要に応じて設定状態や付加比率割合が表示されるディスプレイ８３３が設けられる。
【００３６】
また、前記握持部８２０には、前記感圧素子８２１が設けられ、これらの握持部８２０の素子とスイッチ類あるいはタイマー（図示せず）が、入力手段として前記外部操作入力部６００を構成しており、上記感圧素子８２１は感圧ゴム等の圧力によって変化する抵抗値を電圧に変換し、前記付加比率制御部５００の操作信号としての機能を有している。この感圧素子８２１は回路的には図１４に示すように直流アンプ、およびこの感圧素子８２１からの信号の有効無効を切り替えるスイッチを介して付加比率制御部５００に接続されている。
【００３７】
一方、前記マイクロフォン８００の前記集音部８１０の出力端子は、前記信号処理部Ａの入力端子ＩＮに接続され、この信号処理部Ａの出力端子ＯＵＴはスピーカー（図示せず）などのオーディオ出力装置に接続される。
【００３８】
上述した第１の実施形態の動作について説明すると、まず、マイクロフォン８００から、信号処理部Ａに音声信号が加えられると、帯域処理部２００において図４に示すＢＰＦ２１０の機能により上下の帯域が減衰され、不必要なノイズが除去されて次段のＧＥＱ２２０に送られる
【００３９】
このＧＥＱ２２０では設定された各帯域毎に減衰あるいは強調が行われ、次段の音声加工部３００へ送られて、この音声加工部３００では、偶数倍音発生回路３１０と、奇数倍音発生回路３２０により、帯域処理部２００からの音声信号から算出した倍音が生成され、前記帯域処理部２００からの音声信号に付加される。
【００４０】
上記倍音が付加された音声信号は、次段のバッファーアンプ４００に送られバッファーアンプ４００では、前段の音声加工部３００で失った利得が回復される。
【００４１】
一方、マイクロフォン８００などからの操作信号は、前記設定処理部Ｂの外部操作入力部６００からの信号として、比率制御部５００に加えられる。  この付加比率制御部５００はその入力した操作信号と初期値設定テーブル７００からの信号に基づいて偶数倍音発生回路３１０と、奇数倍音発生回路３２０の出力を制御している。
【００４２】
ここで、初期値設定により、偶数倍音発生回路３１１と、奇数倍音発生回路３２１との比率が１０：０とされていた場合には、偶数倍音発生回路３１０による偶数倍音のみが元の音声に付加さて、スピーカー等の出力装置（図示せず）からは、明瞭で且つ聞きやすい、すなわち聴衆にとって生理的に受け入れられ易い心地よい音声で発せられる。また、逆に上記偶数倍音発生回路３１１と、奇数倍３２１音発生回路との比率が０：１０とされた場合には、奇数倍音のみが付加され、上
記とは逆に聴衆にとって生理的に異質な印象を受ける音声で発せられ、聴衆はその刺激で注意
を向けるとになる。
【００４３】
また、上記偶数倍音発生回路３１１と、奇数倍音発生回路３２１との比率が切り替わる際には、オーバーラップしながら徐々に割合いが変化する。
【００４４】
前記マイクロフォン８００を使用し、使用者が講演中、通常使用においては、前記偶数倍音発生回路３１１と、奇数倍音発生回路３２１との比率が１０：０で設定されており、聴衆には心地良く聞きやすい音声が届けられる。ここで、使用者が話の流れで話の内容を強調したいと思ったときにマイク８００を握りしめると、マイク８００の握持部８２０に設けられた外部操作入力部６００内の感圧素子８２１から外部入力制御回路５００に信号が送られる。この信号により、前記偶数倍音発生回路３１１と、奇数倍音発生回路３２１との出力比率が数秒間の間にオーバーラップしながら徐々に変化し、０：１０の比率に切り替えられる。
【００４５】
こうして、講演者の音声に奇数倍音が加えられると、聴衆には異質感のある音声となり、注意が向けられて注目度が増し、伝えたい内容がより確実に伝えられることになる。こうして充分に注
目された際には、マイク８００の握りを弱めると、弱めたことが信号として外部入力制御回路５００
に送られ、この信号により、前記偶数倍音発生回路３１１と、奇数倍音発生回路３２１との出力比
率が数秒間の間にオーバーラップしながら徐々に変化し、元の１０：０の比率に切り替えられる。
【００４６】
また、前記外部操作入力部６００でオートタイマーに設定しておくことにより、１５分毎に数秒間だけ偶数倍音付加状態から奇数倍音付加状態に移行し、人間の注意力が途切れるあたりで注意喚起されることになる。
【００４７】
次に図１０は本発明に係る第２の実施形態を示す。
第２実施形態は、本発明の第１実施形態の異質感覚音生成回路３２０のみ異なるので、異なる部分のみ説明し、同等の部分には同等の符号を付し、その説明は省略する。
【００４８】
本第２実施形態の異質感覚音生成回路３２０は、アナログＳＷとして動作するトランジスタＴＲ１、ＴＲ２が用いられ、この各トランジスタＴＲ１、ＴＲ２への制御信号として、比率ＣＴＬ回路５１０により可変操作される可変チョッピングクロックデバイスＣＣが設けられており、図１１に示すように音声信号Ｓが可変チョッピングクロックデバイスＣＣの出力周波数に対応して間引かれた形となり、異質感覚音となる。
【００４９】
次に図１２は本発明に係る第３の実施形態を示す。
第３実施形態は、本発明の第１実施形態の設定処理部Ｂのみ異なるので、異なる部分のみ説明し、同等の部分には同等の符号を付し、その説明は省略する。
【００５０】
この第３の実施形態では、デジタル回路を中心に設計された例を示し、この第３の実施形態の
外部操作入力部６０１は、外部操作可能な進設定スイッチ８３３が２個設けられ、２５６通りの設定
が可能とされており、更にこれらの設定を有効・無効の操作を行うセット・リセットスイッチ８３４が
設けられている。
【００５１】
更に、感圧素子８２１からの信号を受けて、ＣＰＵで構成される比率ＣＴＬ回路５１１に送られ、第１実施形態と同様の帯域処理部２００と音声加工部３００に送られる構成とされている。
【００５２】
次に図１５は本発明に係る第４の実施形態を示す。
第４実施形態は、本発明の第１実施形態の信号処理部Ａのみ異なるので、異なる部分のみ説明
し、同等の部分には同等の符号を付し、その説明は省略する。
【００５３】
この第４の実施形態は、帯域処理部２００が分割され、音声加工部３００を挟んでこの音声加工部３００の前段と後段に設けられる第一帯域処理部２０１と第二帯域処理部２０２を有し、この第二帯域処理部２０２により、音声加工部３００による加工歪の微細調整が行うことができる構成とされている。
【００５４】
次に図１６は本発明に係る第５の実施形態を示す。
この第５実施形態は、本発明の第１実施形態の音声加工部３００のみ異なるので、異なる部分の
み説明し、同等の部分には同等の符号を付し、その説明は省略する。
【００５５】
本第５実施形態は、図１７に示すように共感音生成回路３１０としての１／ｆゆらぎ生成回路３１２と、異質感覚音生成回路３２０としてのノイズ生成回路３２２で構成され、上記１／ｆゆらぎ生成回路３１２は、白色雑音を発生させるホワイトノイズ発生回路３１２と１／ｆ特性フィルタ３１３およびゆらぎ量制御回路３１４を有している。
【００５６】
上記１／ｆ特性フィルタ３１３は通過振幅が、その周波数に逆比例する特性を有しており、ピッチ、時間長、スペクトルに関してのゆらぎ成分を音声に印加し、そのゆらぎ度は、前記ゆらぎ量制御回路３１４で制御されており、このゆらぎ量制御回路は比率ＣＴＬ回路５１０により操作されている。
【００５７】
一方、前記異質感覚音生成回路３２０としてのノイズ生成回路３２２は、図１８に示すように音声入力信号に応じたノイズ音を生成するものであり、このノイズ生成回路３２２は、音声信号Ｓのレベルに対応してにノイズ付加のタイミングを合わせるためのアナログ遅延回路（ＢＢＤ）３２３と、
音声信号からレベル抽出するレベル抽出回路３２４と、このレベル抽出回路３２４からのレベル信
号Ｌ１、Ｌ２を基準として設定されたパルス幅を出力するウインドコンパレータ３２５と、上記コンパ
レータ３２５のパルス出力に応じたノイズを出力するホワイトノイズ発生回路３２６と、上記アナロ
グ遅延回路３２３と上記ホワイトノイズ発生回路３２６からの信号を合成する音声信号合成回路３
２７と、を有している。
【００５８】
上記ホワイトノイズ発生回路３２６は、抵抗体が熱せられて生じる熱じょう乱雑音を利用
しており、前記音声信号合成回路３２７は、一般的なミキサを利用することができる。
【００５９】
前記音声信号のレベル抽出回路３２４で抽出されたレベル信号は、図１９に示すようにウインドコンパレータ３２５により、音声レベルＬ１、Ｌ２間に対応したパルス幅信号として、そのコンパレータ３２５から出力される。このコンパレータ３２５からのパルス出力は、ホワイト・ピンクノイズ発生回路３２６をパルス幅に対応させて動作させ、ノイズ信号を音声信号合成回路３２７へ送られる。
【００６０】
上記音声信号合成回路３２７では、アナログ遅延回路３２３でタイミングが調整された音声信号
と合成され、図２０に示すように音声信号の低いレベルで付加される。
【００６１】
なお、上述した各実施形態において、偶数倍音生成回路３１１と奇数倍音生成回路３２１との組み合わせ、および１／ｆゆらぎ生成回路３１２とノイズ生成回路３２２との組み合わせで説明したが、偶数倍音生成回路３１１とノイズ生成回路３２２との組み合わせなど他の組み合わせも可能であり、またこれらの生成回路３１１、３２１、３１２、３２２の全て組み込み、それぞれの特徴を生かした装置とすることもできる。
【図面の簡単な説明】
【００６２】
【図１】本発明の係る音声加工装置の第１実施形態を示す回路ブロック図である。
【図２】第１実施形態のプリアンプ１００を示す回路図である。
【図３】第１実施形態のバンドパスフィルタ２１０を示す回路図である。
【図４】第１実施形態のバンドパスフィルタ２１０の動作を示すグラフである。
【図５】第１実施形態のグラフィックイコライザ２２０を示す回路図である。
【図６】第１実施形態のグラフィックイコライザ２２０の動作を示すグラフである。
【図７】第１実施形態の音声加工部３００を示す回路図である。
【図８】第１実施形態の音声加工部３００の動作を示すグラフである。
【図９】第１実施形態のバッファーアンプを示す回路図である。
【図１０】第２実施形態の異質感覚音生成回路を示す回路図である。
【図１１】第２実施形態の異質感覚音生成回路の動作を示すグラフである。
【図１２】第３実施形態の設定処理部Ｂを示す回路ブロック図である。
【図１３】各実施形態共通に使用されるマイクロフォンの斜視図である。
【図１４】図１３に示すマイクロフォンの感圧素子部の回路図である。
【図１５】第４実施形態の信号処理部Ａを示す回路ブロック図である。
【図１６】第５実施形態の信号処理部Ａ示す回路ブロック図である。
【図１７】第５実施形態の共感音生成回路を示す回路図である。
【図１８】第５実施形態の異質感覚音生成回路を示す回路図である。
【図１９】第５実施形態の異質感覚音生成回路の動作を示す第１のグラフである。
【図２０】第５実施形態の異質感覚音生成回路の動作を示す第２のグラフである。
【符号の説明】
【００６３】
Ａ  信号処理部
Ｂ  設定処理部
３００  音声加工部
３１０  共感音生成回路
３１１  偶数倍音生成回路
３１２  ゆらぎ生成回路
３２０  異質感覚生成回路
３２１  奇数倍音生成回路
３２２  ノイズ生成回路
５００  付加比率制御部
８００  マイクロフォン
８２１  感圧素子
【図１】
2012083417.tif 000003
【図２】
2012083417.tif 000004
【図３】
2012083417.tif 000005
【図４】
2012083417.tif 000006
【図５】
2012083417.tif 000007
【図６】
2012083417.tif 000008
【図７】
2012083417.tif 000009
【図８】
2012083417.tif 000010
【図９】
2012083417.tif 000011
【図１０】
2012083417.tif 000012
【図１１】
2012083417.tif 000013
【図１２】
2012083417.tif 000014
【図１３】
2012083417.tif 000015
【図１４】
2012083417.tif 000016
【図１５】
2012083417.tif 000017
【図１６】
2012083417.tif 000018
【図１７】
2012083417.tif 000019
【図１８】
2012083417.tif 000020
【図１９】
2012083417.tif 000021
【図２０】
2012083417.tif 000022